(57)【要約】【課題】  風が吹いてもロータリーバーナの火炎の本体内部への回り込みを防止して、本体内部の部品の過熱を抑制したり、本体内部の熱を外部に逃がすことができて、内部温度の異常上昇を防止し得る赤外線輻射ヒータを提供する。【解決手段】  燃料タンク上に、ロータリーバーナと該ロータリバーナの燃焼ガスの通過によって周囲に赤外線を輻射し得る輻射体とが配置された赤外線輻射ヒータにおいて、輻射体の下部外周でロータリーバーナの上部外側に円筒状の輻射ガードを設けると共に、該輻射ガードにロータリーバーナの火炎の本体内部への回り込みを防止する開口を形成したことを特徴とする。また、ロータリーバーナの外壁の外側に筒体が設けられ、該筒体と外壁との間の下部が閉塞されると共に、筒体の上部外面と輻射ガードの下部内面との間にバーナカバーが筒体側に隙間を有して輻射ガード側が低くなるように傾斜状態で設けられる。【選択図】  図５
2007040580.tif 000002
【特許請求の範囲】
【請求項１】
燃料タンク上に、ロータリーバーナと該ロータリーバーナの燃焼ガスの通過によって周囲に赤外線を輻射し得る輻射体とが配置された赤外線輻射ヒータにおいて、
前記輻射体の下部外周でロータリーバーナの上部外側に円筒状の輻射ガードを設けると共に、該輻射ガードにロータリーバーナの火炎の本体内部への回り込みを防止する開口を形成したことを特徴とする赤外線輻射ヒータ。
【請求項２】
前記開口は、輻射ガードの円周方向に長い複数のスリットで形成されていることを特徴とする請求項１に記載の赤外線輻射ヒータ。
【請求項３】
前記ロータリーバーナの外壁の外側に筒体が設けられ、該筒体と外壁との間の下部が閉塞されていることを特徴とする請求項１または２に記載の赤外線輻射ヒータ。
【請求項４】
前記筒体の上部外面と輻射カードの下部内面との間に、バーナカバーが筒体側に隙間を有して輻射ガード側が低くなるように傾斜状態で設けられていることを特徴とする請求項３に記載の赤外線輻射ヒータ。
【発明の詳細な説明】
【技術分野】
【０００１】
本発明は、ロータリーバーナの燃焼ガスが輻射体の内部を通過することにより、輻射体の周囲に赤外線を輻射し得る赤外線輻射ヒータに関する。
【背景技術】
【０００２】
従来、遠赤外線を含む赤外線の輻射熱を利用する赤外線輻射ヒータ（ヒータという）としては、例えば図６及び図７に示すものが知られている。このヒータは、扁平形状の燃料タンク２の上面に、バーナ取付板１１を介してロータリーバーナ１０が配置されると共に、このロータリーバーナ１０の上方に該バーナ１０の燃焼ガスで加熱されることにより、周囲に赤外線を輻射し得る二重金網からなる輻射体２２が配置されている。なお、この種のヒータは、例えば特許文献１に開示されている。
【特許文献１】特開平１１−３７５６２号公報
【発明の開示】
【発明が解決しようとする課題】
【０００３】
しかしながら、このようなヒータにおいては、ロータリーバーナ１０の上部と輻射体２２の下部との間に円筒状の板体からなる輻射ガード２６が設けられているものの、ヒータを周囲温度が比較的高い雰囲気中で燃焼させた場合に、輻射体２２の輻射を受けた本体カバー４やバーナカバー３１の熱によって、これらの内部（本体内部という）の部品の温度が耐熱温度を超える虞がある。
【０００４】
また、図７に示すように、ロータリーバーナ１０の外壁１０ａの下部とその外側に位置する筒体３０の下部との間に隙間５１が形成されると共に、輻射体２２が二重の金網で形成されているため、ヒータの設置場所において、燃焼中に風が吹くと輻射体２２内に静圧がかかる場合がある。このような場合に、ロータリーバーナ１０からの火炎がその静圧に負けて輻射体２２内に入れなくなり、矢印ロの如く火炎が外側に飛び出て、さらに風の力により筒体３０と外壁１０ａの隙間５１から本体内部に入り込み、すなわち火炎が回り込んで本体内部の部品の温度を一層高める虞がある。さらに、バーナカバー３１の内側端部が筒体３０の外面に閉塞状態で固着されているため、本体内部の熱が前記間隙５１を介して逃げるものの、火炎が回り込んだ場合には、この逃げが困難となって、本体内部の温度上昇を一層招き易くなる。
【０００５】
本発明は、このような事情に鑑みてなされたもので、その目的は、風が吹いてもロータリーバーナの火炎の本体内部への回り込みを防止して、本体内部の部品の過熱を抑制し得る赤外線輻射ヒータを提供することにある。また、他の目的は、前記目的に加え、本体内部の熱を効果的に外部に逃がすことができて、内部温度の異常上昇を防止し得る赤外線輻射ヒータを提供することにある。
【課題を解決するための手段】
【０００６】
かかる目的を達成すべく、本発明のうち請求項１に記載の発明は、燃料タンク上に、ロータリーバーナと該ロータリーバーナの燃焼ガスの通過によって周囲に赤外線を輻射し得る輻射体とが配置された赤外線輻射ヒータにおいて、前記輻射体の下部外周でロータリーバーナの上部外側に円筒状の輻射ガードを設けると共に、該輻射ガードにロータリーバーナの火炎の本体内部への回り込みを防止する開口を形成したことを特徴とする。
【０００７】
そして、前記開口は、請求項２に記載の発明のように、輻射ガードの円周方向に長い複数列のスリットで形成されていることが好ましい。また、請求項３に記載の発明のように、前記ロータリーバーナの外壁の外側に筒体が設けられ、該筒体と外壁との間の下部が閉塞されていることが好ましく、さらに、請求項４に記載の発明のように、前記筒体の上部外面と輻射ガードの下部内面との間に、バーナカバーが筒体側に隙間を有して輻射ガード側が低くなるように傾斜状態で設けられていることが好ましい。
【発明の効果】
【０００８】
本発明のうち請求項１に記載の発明によれば、輻射体の下部外周でロータリーバーナの上部外側に、ロータリーバーナの火炎の本体内部への周り込み防止用の開口を有する円筒状の輻射ガードが設けられているため、輻射ガードの開口によりロータリーバーナの火炎を輻射ガード側に逃がすことができて、火炎の本体内部への回り込みを防止して、内部部品の温度を耐熱温度以下に抑制することができる。
【０００９】
また、請求項２に記載の発明によれば、請求項１に記載の発明の効果に加え、開口が輻射ガードの円周方向に長い複数のスリットで形成されているため、開口の形成が簡単に行えると共に、火炎を効果的に輻射ガード方向に逃がすことができる。
【００１０】
また、請求項３に記載の発明によれば、請求項１または２に記載の発明の効果に加え、ロータリーバーナの外壁とその外側に設けられる筒体との間の下部が閉塞されているため、火炎の本体内部への回り込みを機械的に遮断できて、内部部品の過熱を一層効果的に抑制することができる。
【００１１】
さらに、請求項４に記載の発明によれば、請求項３に記載の発明の効果に加え、筒体の上部外面と輻射ガードの下部内面との間に、バーナカバーが筒体側に隙間を有して輻射ガード側が低くなるように傾斜状態で設けられているため、隙間から本体内部に籠もった熱を上方に逃がすことができて、周囲温度が高い雰囲気中等でヒータを燃料させた場合でも、本体内部の温度上昇を抑制することができる。
【発明を実施するための最良の形態】
【００１２】
以下、本発明を実施するための最良の形態を図面に基づいて詳細に説明する。
図１〜図５は、本発明に係わる赤外線輻射ヒータの一実施形態を示し、図１がその概略構成図、図２が燃料タンクとアーム部分の平面図、図３が放熱部の要部正面図、図４がバーナ部の拡大図、図５が図４のＡ部の拡大図である。なお、図６及び図７と同一部位には、同一符号を付して説明する。
【００１３】
図１及び図２において、赤外線輻射ヒータ１（ヒータ１という）は、扁平形状の燃料タンク２と、この燃料タンク２上に配置され本体カバー４で覆われたバーナ部３と、このバーナ部３の上方に配置された放熱部５等を備えている。前記燃料タンク２は、鉄板で形成された有底皿状のタンク本体２ａと、このタンク本体２ａの外周フランジ２ｃの上面に固着された蓋体２ｂとで構成されている。この時、タンク本体２の外周フランジ２ｃに蓋体２ｂの外周フランジが上下方向に積層されて溶接されることにより、外周フランジ２ｃ部分が二重構造となっている。なお、蓋体２ｂの前後方向（長手方向で図１の左右方向）の一端側には、給油口６とレベル計７が取り付けられている。
【００１４】
また、燃料タンク２の前端側である給油口６側で外周フランジ２ｃの下面には、脚パイプ８が図示しないボルトにより固着されている。この脚パイプ８は、金属パイプを屈曲形成することにより、燃料タンク２の幅方向に設けられた一対の固定部８ａと、この固定部８ａからそれぞれ下方に延設されて床面上に当接する一対の設置部８ｂと、この両設置部８ｂから前方斜め上方に延設されて両設置部８ｂを連結する把手部８ｃとにより構成されている。また、燃料タンク２の後端側の両側壁には、キャスタ取付板９ａを介してキャスタ９がそれぞれ取り付けられている。これにより、脚パイプ８の把手部８ｃを上方に持ち上げて設置部８ｂを床面上から浮かせ、把手部８ｃを引っ張るとキャスタ９の回転でヒータ１が所定方向に移動できるようになっている。
【００１５】
前記バーナ部３は、バーナ本体としてのロータリバーナ１０と、このロータリバーナ１０に燃料を供給する燃料ポンプ（図示せず）等からなり、燃料タンク２の上面中央部に取り付けられたバーナ取付板１１に制御基板（図示せず）等と共に取り付けられている。そして、このバーナ部３の周囲には、本体カバー４が装着されている。この本体カバー４は、鉄板をプレス加工することにより、上面４ａとその外周４辺の側面４ｂとで形成され、上面４ａの略中央位置には放熱部貫通孔が形成されると共に、前端側の傾斜面には、開閉可能な蓋１４が設けられている。この蓋１４は、その下方に燃料タンク２の前記給油口６が位置するようになっており、蓋１４を開放することにより、本体カバー４を装着したままでの燃料タンク２への給油が可能となっている。
【００１６】
このバーナ部３の上方に配置される前記放熱部５は、図１及び図２に示す梁状のアーム１５によって燃料タンク２上に支持されている。すなわち、アーム１５は、水平部とその両端の垂直部を有するアーチ状の２本の角パイプ１６と、この角パイプ１６の端部に溶接等により固着されて各角パイプ１６を連結する２本のＬ字材１７とで構成されている。そして、このアーム１５のＬ字材１７を燃料タンク２の外周フランジ２ｃの上面に載置した状態で、その取付孔を利用して燃料タンク２にネジ固定することにより、アーム１５が本体カバー４やバーナ部３とは関係ない状態で燃料タンク２上に固定されている。
【００１７】
また、放熱部５は、図１及び図３に示すように、例えば３本の角パイプ状の支柱２０と、この支柱２０の下端及び上端に固定された下端フランジ２１（図２及び図３参照）及び上面板（図示せず）と、支柱２０の内部に配置されて上部が前記上面板に支持された例えば二重金網構造の輻射体２２と、前記上面板上に配置され内部にファン２４が内蔵されると共に、後端側に操作盤２５が配置された上部カバー２３（図１参照）等により構成されている。
【００１８】
また、前記輻射体２２の下部外側で３本の支柱２０間には、図３に示すように、平面視で円形を呈する輻射ガード２６が取り付けられている。この輻射ガード２６は、ステンレス板等の金属板により円筒形状に形成されると共に、その上部側には横方向に長い開口としてのスリット２６ａが複数個上下方向に３列状態で形成されている。このスリット２６ａは、ロータリーバーナ１０の外壁１０ａ上部及びその外側に配置される筒体３０上部と、輻射ガード２６の外部とが連通状態となるように、筒体３０の外側位置に設けられている。
【００１９】
すなわち、図４及び図５に示すように、ロータリーバーナ１０の外壁１０ａの外側に、その上端が外壁１０ａの上端より所定寸法高い位置に設定された筒体３０が配置され、この筒体３０の下端がバーナフレームに固定されることにより、該下端部分が閉塞されている。これにより、外壁１０ａと筒体３０との間に従来のような隙間５１が形成されず、筒板３０上部（外壁１０ａ上部）が輻射ガード２６のスリット２６ａと内外方向に略対向するようになっている。
【００２０】
また、筒体３０の上部外面と輻射ガード２６の下部内面との間には、バーナカバー３１が外側が低くなるように傾斜状態で固定され、この時バーナカバー３１は、その上部が筒体３０の外面に対して所定の隙間３２を有して固定されている。この筒体３０と輻射ガイド２６のスリット２６ａ及び隙間３２により、後述するように、火炎の本体カバー４内部や後述するバーナカバー３１内部（これらを本体内部という）への回り込みが防止されると共に、本体内部の熱が上方に逃げるようになっている。なお、前記輻射ガード２６上方の３本の支柱２０間には、平面視で円形を呈する金属棒からなる安全ガイド２７が複数本取り付けられている。
【００２１】
そして、このように構成された放熱部５は、その下端フランジ２１を前記燃料タンク２の外周フランジ２ｃ上に固定されたアーム１５の２本の角パイプ１６の水平部上に載置し、下端フランジ２１に設けた取付孔２１ａ（図２参照）から固定ネジを両角パイプ１６の水平部に設けた各ネジ孔にねじ込むことにより、放熱部５がアーム１５に固定されて、その重量が全てアーム１５に荷重として加わるようになっている。
【００２２】
なお、放熱部５の上部カバー２３に取り付けられる前記操作盤２５は、運転スイッチと、温度等を表示する表示器と、火力を上昇させる上昇スイッチ及び火力を下降させる下降スイッチ等（いずれも図示せず）が設けられている。そして、この操作盤２５に接続される配線あるいは上部カバー２３内のファン２４の配線は、前記３本の支柱２０の所定の支柱２０内を下方に通過して引き出され、バーナ部３を燃料タンク２上に取り付けるための前記バーナ取付板１１に配置された制御基板に電気的に接続されている。これにより、配線が外部から視認されないようになっている。
【００２３】
次に、このように構成されたヒータ１の動作の一例について説明する。このヒータ１は、ファン２４を作動させて下方に向けて送風した状態でロータリーバーナ１０が燃焼すると、その火炎が筒体３０の内部を上方に向けて吐出され、火炎による燃焼ガスが上方に位置する輻射体２２内を通過することにより輻射体２２が加熱されて、この加熱された輻射体２２からその周囲に赤外線が輻射（放射）されるようになっている。
【００２４】
このロータリーバーナ１０の燃焼時に、例えばヒータ１の設置場所に風が吹いた場合、二重金網からなる輻射体２２内に静圧がかかり、ロータリバーナ１０からの火炎が輻射体２２内に入り切れなくなるが、この火炎は、筒体３０の上部と輻射ガード２６の外部とがスリット２６ａで連通すると共に、ロータリーバーナ１０の外壁１０ａと筒体３０の下部が閉塞されていることから、図５の矢印イの如く、筒体３０の上部からスリット２６ａ方向に流れて、従来のように、外壁１０ａと筒体３０の隙間から本体内部に回り込むことがなくなる。これにより、風が吹いた場合の火炎の本体内部への回り込みによる、本体内部の制御基板等の各種部品の耐熱温度以上の温度上昇が抑制されることになる。
【００２５】
また、例えばヒータ１を長時間連続燃焼させその輻射熱により本体内部の温度が上昇した場合には、筒体３０とバーナカバー３１との間に隙間３２が設けられていることから、本体内部の熱が隙間３２から上方に逃げて内部に長時間籠もることがなくなり、本体内部の異常温度上昇を抑制できることになる。
【００２６】
このように、上記実施形態のヒータ１にあっては、放熱部５の輻射体２２の下部外周に補強や耐熱性向上等の目的で設けられる輻射ガード２６に、ロータリーバーナ１０の外壁１０ａ上部や筒体３０上部と輻射ガード２６の外部とを連通し得るスリット２６ａが設けられているため、ヒータ１の設置場所に風が吹いた場合等に、輻射体２２内の静圧によるロータリーバーナ１０の火炎をスリット２６ａにより輻射ガード２６側に逃がすことができて、火炎の本体内部への回り込みを防止し、本体内部の制御基板等の各種部品の温度を耐熱温度以下に抑制することができる。
【００２７】
特に、筒体３０の上部やロータリーバーナ１０の外壁１０ａ上部と輻射ガード２６の外部とを連通する開口としてのスリット２６ａが、輻射ガード２６の円周方向に長く複数列に形成されているため、筒体３０の上部から吐出され上部に静圧が作用した火炎を横方向であるスリット２６ａ方向に効果的に逃がして、本体内部への火炎の回り込みを確実に防止することができる。
【００２８】
また、ロータリーバーナ１０の外壁１０ａとその外側に設けられる筒体３０との間の下部が閉塞されているため、火炎の回り込み通路を機械的に遮断できて、火炎の本体内部への回り込みを一層確実に防止し、本体内部の各種部品の過熱を一層効果的に抑制することができる。これにより、例えばヒータ１が設置される工場の搬入扉が開くこと等により、外部の風が工場内に侵入してヒータ１の周囲で吹いても、この風による影響を抑えた状態でヒータ１を安定かつ安全に使用することができる。
【００２９】
また、筒体３０の上部と輻射ガード２６の下部との間に配置されるバーナカバー３１が、外側が低くなるように傾斜状態で設けられると共に、筒体３０の外面に対して隙間３２を有して配置されているため、高い雰囲気中でヒータ１を燃焼させた場合や長時間連続燃焼させて本体内部の温度が高くなった場合でも、本体内部に籠もった熱を隙間３２から上方に逃がして、本体内部の温度上昇を抑制することができ、これらのことから、信頼性の高いヒータ１の提供が可能となる。
【００３０】
また、前記ヒータ１によれば、次のような付随的な作用効果を奏することができる。すなわち、輻射体２２等を有する放熱部５が燃料タンク２の外周フランジ２ｃ上に梁状のアーム１５によって支持されているため、輻射体２２や支柱２０、上部カバー２３、ファン２４等からなる放熱部５の全重量を梁状のアーム１５を介して燃料タンク２の外周フランジ２ｃで支持することができ、放熱部５の支持強度を十分に高めてその支持状態を安定させることができる。
【００３１】
また、２本の角パイプ１６の水平部上に、所定幅のリング状の下端フランジ２１を載置して固定ネジをねじ込むことにより放熱部５がアーム１５に固定されるため、放熱部５のアーム１５への固定作業を簡単に行うことができる。また、本体カバー４が上面４ａと側面４ｂとにより形成されて、上面４ａに設けた放熱部貫通孔１２を放熱部５に対して上下方向に貫通させて固定ネジの締め付けや取り外しにより、燃料タンク２上に着脱されるため、放熱部５をアーム１５に固定した後に、本体カバー４をその放熱部貫通孔１２を利用してアーム１５に取り付けでき、本体カバー４の固定作業を容易に行うことができると共に、本体カバー４を放熱部５とは関係なく取り外すことができて、バーナ部３のメンテナンス作業等を極めて簡単に行うことが可能となる。
【００３２】
さらに、バーナ部３を覆う本体カバー４が、放熱部貫通孔１２のみを有して燃料タンク２上面とバーナ部３を覆うと共に、装着した際にアーム１５の外側に位置するため、装着された本体カバー４によって放熱部５固定用ネジ等の外部への露出を防いで、ヒータ１の外観デザインの自由度を高めて、その意匠性の向上を図ることができる。
【００３３】
なお、上記実施形態においては、輻射ガード２６の開口を横方向に長いスリット２６ａで形成したが、本発明はこれに限定されず、例えば縦方向のスリットで形成したり、円形や楕円形、方形等の孔で形成することもできるし、その配置形態も千鳥状に配置する等、火炎の回り込みを効果的に防止し得る適宜の形態を使用することができる。また、バーナカバー３１の形状やロータリーバーナ１０の外壁１０ａと筒体３０の形態等も一例であって、本発明に係わる各発明の要旨を逸脱しない範囲において、適宜に変更することができる。
【産業上の利用可能性】
【００３４】
本発明は、キャスタと脚パイプにより移動可能に構成された赤外線輻射ヒータに限らず、例えば固定脚によって所定位置に設置される固定式の赤外線輻射ヒータにも適用できる。
【図面の簡単な説明】
【００３５】
【図１】本発明に係わる赤外線輻射ヒータの一実施形態を示す概略構成図
【図２】同燃料タンクとアーム部分の平面図
【図３】同放熱部の要部正面図
【図４】同バーナ部の拡大図
【図５】同図４のＡ部の拡大図
【図６】従来の赤外線輻射ヒータのバーナ部の拡大図
【図７】同図６のＢ部の拡大図
【符号の説明】
【００３６】
１・・・赤外線輻射ヒータ、２・・・燃料タンク、２ｃ・・・外周フランジ、３・・・バーナ部、４・・・本体カバー、４ａ・・・上面、４ｂ・・・側面、５・・・放熱部、８・・・脚パイプ、９・・・キャスタ、１０・・・ロータリーバーナ、１０ａ・・・外壁、１５・・・アーム、１６・・・角パイプ、１７・・・Ｌ字材、２０・・・支柱、２１・・・下端フランジ、２２・・・輻射体、２３・・・上部カバー、２４・・・ファン、２５・・・操作盤、２６・・・輻射ガード、２６ａ・・・スリット、３０・・・筒体、３１・・・バーナカバー、３２・・・隙間。
【図１】
2007040580.tif 000003
【図２】
2007040580.tif 000004
【図３】
2007040580.tif 000005
【図４】
2007040580.tif 000006
【図５】
2007040580.tif 000007
【図６】
2007040580.tif 000008
【図７】
2007040580.tif 000009